(57)【要約】【課題】背合せを垂直に維持しながら背合せを座席に対して前後移動させる。【解決手段】座席800と背合せ600を含んでいる。背合せ600の下端と座席800とは離れており、背合せ600の下端の両辺側と座席800の後端の両辺側とはそれぞれ回転機構100によって連結されている。回転機構100の下端は座席800に対して回転調整可能であり、回転機構100の上端は背合せ600に対して回転調整可能である。回転機構100の回転調整時には、背合せ600は、該背合せ600の垂直状態を維持しながら、座席800に対して前後移動する。【選択図】図１−１
2011206539.tif 000002
【特許請求の範囲】
【請求項１】
座席と背合せを含む背合せが移動可能な椅子であって、
前記背合せの下端と前記座席とは離れており、前記背合せの下端の両辺側と前記座席の後端の両辺側とはそれぞれ回転機構によって連結され、
前記回転機構の下端は前記座席に対して回転調整可能であり、前記回転機構の上端は前記背合せに対して回転調整可能であり、
前記回転機構の回転調整時には、前記背合せは、該背合せの垂直状態を維持しながら、前記座席に対して前後移動することを特徴とする背合せが移動可能な椅子。
【請求項２】
前記回転機構は、第１回転レバー部、第２回転レバー部、第１回転関節部及び第２回転関節部を含み、
前記第１回転レバー部は、中空状の略ダンベル形であり、上下の両端が略円筒形であり中央部が細長い矩形体であり、
前記第２回転レバー部の両端には、それぞれ円孔が形成され、
前記第１回転関節部は、略円柱形であり、内外側の端部の径が中央部の径よりも小さく形成されており、前記内端が前記背合せの下端の辺側の第１取付座に嵌め込まれて連結固定され、
前記第２回転関節部は、略円柱形であり、内外端の径が中央部の径よりも小さく形成されており、前記座席の後端の辺側の第２取付座とねじによって連結固定され、
前記第１回転関節部には、径方向に沿って第１凹入部が形成され、且つ、軸方向に沿って第１軸穴が形成され、
前記第２回転レバー部の上端は前記第１凹入部に接続され、第１軸レバーが前記第１軸穴及び第２回転レバー部の上端の円孔に挿入されて前記第２回転レバー部が前記第１回転関節部と回転可能に連結され、
前記第２回転関節部には、径方向に沿って第２凹入部が形成され、且つ、軸方向に沿って第２軸穴が形成され、
前記第２回転レバー部の下端は前記第２凹入部に接続され、第２軸レバーが前記第２軸穴及び第２回転レバー部の下端の円孔に挿入されて前記第２回転レバー部が前記第２回転関節部と回転可能に連結され、
前記第１回転レバー部の上端は前記第１回転関節部の外端に外嵌し、前記第１回転レバー部の下端は前記第２回転関節部の外端に外嵌し、
前記第１回転関節部の上端には第１中心円穴が形成され、且つ、第２回転関節部の上端には第２中心円穴が形成され、
前記回転機構は、更に、第１スクリュー・レバーと第２スクリュー・レバーを含んでおり、その２つのスクリュー・レバーは、尾段に外部スレッドがあるのみであり、
前記第１スクリュー・レバーは、順に前記第１中心円穴と第１センター穴を貫通した後で更に前記第１取付座に形成されたねじ穴に挿入され、前記第２スクリュー・レバーは、順に前記第２中心円穴と第２センター穴を貫通した後で更に前記第２取付座に形成されたねじ穴に挿入され、前記第１スクリュー・レバーは、前記第１回転レバー部の上端に対して回転可能であり、前記第２スクリュー・レバーは、前記第１回転レバー部の下端に対して回転可能であり、
前記第１センター穴と第１軸穴の接続は前記第２センター穴と第２軸穴の接続と平行し、前記第１センター穴と第２センター穴の接続は前記第１軸穴と第２軸穴の接続と平行することを特徴とする請求項１に記載の背合せが移動可能な椅子。
【請求項３】
前記第１スクリュー・レバーと第１中心円孔の間には第１スリーブが設けられ、前記第２スクリュー・レバーと第２中心円孔の間には第２スリーブが設けられており、
前記第１スリーブ及び第２スリーブの端部には鋸歯が形成され、それぞれの鋸歯部分が前記第１センター穴と第２センター穴に嵌め込まれており、
前記第１スリーブと第２スリーブが内蔵された状態で、前記第１回転レバー部の上端が第１スリーブに対して回転可能であり、前記第１回転レバー部の下端が第２スリーブに対して回転可能であることを特徴とする請求項２に記載の背合せが移動可能な椅子。
【請求項４】
前記第１回転レバー部と第２回転レバー部の間には、第１スプリングが設けられていることを特徴とする請求項２に記載の背合せが移動可能な椅子。
【請求項５】
前記回転機構は、更に、前記第１回転レバー部の上端と下端をカバーする円形端蓋であるカバーを含んでいることを特徴とする請求項２に記載の背合せが移動可能な椅子。
【請求項６】
前記第１回転レバー部の下端には、内壁面に円弧状の突部が形成されており、前記第２回転間接部の外端には、前記突部に対応する凹部が形成されていることを特徴とする請求項２に記載の背合せが移動可能な椅子。
【請求項７】
前記回転機構は、更に、リミット調整部を含んでおり、
前記リミット調整部は、リミット調整スナップボタン、取付回転軸及び圧力スプリングを含んでおり、
前記第１回転関節部の上部には取付穴が形成され、
前記取付回転軸の一端は回転可能に前記取付穴に取り付けられ、前記取付回転軸の他端は前記リミット調整スナップボタンの一端の円穴に挿入され、
前記圧力スプリングの一端は、前記リミット調整スナップボタンにおける円弧状の突部がある側の一端と連結され、前記圧力スプリングの他端は、固定軸によって前記第１回転関節部と連結されており、
前記第１回転レバーの上端には、内壁面に前記円弧状の突部に対応する波溝が形成されており、
前記リミット調整スナップボタンの取付端には、小ストップが設けられており、前記第１回転レバー部の上端には、内壁面に前記小ストップの駆動用の円弧状の溝が形成されており、その円弧状の溝の端末は前記波溝の開始端であり、
前記リミット調整部は、大部分が前記第１回転関節部の空洞にあることを特徴とする請求項２に記載の背合せが移動可能な椅子。
【請求項８】
前記回転機構は、更に、リミット調整部を含んでおり、
前記リミット調整部は、円弧状のロック板、第２スプリング及び調整スイッチを含んでおり、
前記円弧状のロック板の内端は、取付座を貫通して、駆動可能に前記背合せの下端の内部に延びており、
前記第２スプリングは、前記円弧状のロック板の内端に当接しており、
前記円弧状のロック板の外端は、少なくとも１つのロック歯が形成されており、
前記第１回転関節部には、前記円弧状のロック板が貫通する円弧状のバー穴が形成されており、
前記第１回転レバーの上端には、内壁面に前記ロック歯に対応する波歯が形成されており、
前記調整スイッチは、互いに交差するボタン部と調整レバーを含んでおり、前記調整レバーは、コッターによって回転可能に前記背合せの下部に取り付けられており、
前記調整レバーの端部は、補強鉄棒によって前記円弧状のロック板の内端と連結されていることを特徴とする請求項２に記載の背合せが移動可能な椅子。
【請求項９】
前記第１回転関節部は、第３スクリュー・レバーによって前記第１取付座と脱着可能に連結されており、
前記第１回転レバー部の上端には、前記第３スクリュー・レバーが貫通するスルーホールが形成されており、
前記第１回転関節部の内端は蝶形に形成されており、前記第１取付座の内側は前記第１回転関節部の内端と対応する形状に形成されていることを特徴とする請求項２に記載の背合せが移動可能な椅子。
【請求項１０】
上端が椅子の背合せに対して回転調整可能に該背合せの下端の辺側と連結され、下端が椅子の座席に対して回転調整可能に該座席の後端の辺側と連結される椅子用の回転機構であって、
前記回転調整時には、前記背合せの垂直状態を維持しながら、前記背合せを前記座席に対して前後移動させるように構成されていることを特徴とする椅子用の回転機構。
【請求項１１】
第１回転レバー部、第２回転レバー部、第１回転関節部及び第２回転関節部を含んでおり、
前記第１回転レバー部は、中空状の略ダンベル形であり、上下の両端が略円筒形であり中央部が細長い矩形体であり、
前記第２回転レバー部の両端には、それぞれ円孔が形成され、
前記第１回転関節部は、略円柱形であり、内外側の端部の径が中央部の径よりも小さく形成されており、前記内端が前記背合せの下端の辺側の第１取付座に嵌め込まれて連結固定され、
前記第２回転関節部は、略円柱形であり、内外端の径が中央部の径よりも小さく形成されており、前記内端が前記座席の後端の辺側の第２取付座に嵌め込まれねじによって連結固定され、
前記第１回転関節部には、径方向に沿って第１凹入部が形成され、且つ、軸方向に沿って第１軸穴が形成され、
前記第２回転レバー部の上端は前記第１凹入部に接続され、第１軸レバーが前記第１軸穴及び第２回転レバー部の上端の円孔に挿入されて前記第２回転レバー部が前記第１回転関節部と回転可能に連結され、
前記第２回転関節部には、径方向に沿って第２凹入部が形成され、且つ、軸方向に沿って第２軸穴が形成され、
前記第２回転レバー部の下端は前記第２凹入部に接続され、第２軸レバーが前記第２軸穴及び第２回転レバー部の下端の円孔に挿入されて前記第２回転レバー部が前記第２回転関節部と回転可能に連結され、
前記第１回転レバー部の上端は前記第１回転関節部の外端に外嵌し、前記第１回転レバー部の下端は前記第２回転関節部の外端に外嵌し、
前記第１回転関節部の上端には第１中心円穴が形成され、且つ、第２回転関節部の上端には第２中心円穴が形成され、
更に、第１スクリュー・レバーと第２スクリュー・レバーを含んでおり、その２つのスクリュー・レバーは、尾段に外部スレッドがあるのみであり、
前記第１スクリュー・レバーは、順に前記第１中心円穴と第１センター穴を貫通した後で更に前記第１取付座に形成されたねじ穴に挿入され、前記第２スクリュー・レバーは、順に前記第２中心円穴と第２センター穴を貫通した後で更に前記第２取付座に形成されたねじ穴に挿入され、前記第１スクリュー・レバーは、前記第１回転レバー部の上端に対して回転可能であり、前記第２スクリュー・レバーは、前記第１回転レバー部の下端に対して回転可能であり、
前記第１センター穴と第１軸穴の接続は前記第２センター穴と第２軸穴の接続と平行し、前記第１センター穴と第２センター穴の接続は前記第１軸穴と第２軸穴の接続と平行することを特徴とする請求項１０に記載の椅子用の回転機構。
【請求項１２】
前記第１スクリュー・レバーと第１中心円孔の間には第１スリーブが設けられ、前記第２スクリュー・レバーと第２中心円孔の間には第２スリーブが設けられており、
前記第１スリーブ及び第２スリーブの端部には鋸歯が形成され、それぞれの鋸歯部分が前記第１センター穴と第２センター穴に嵌め込まれており、
前記第１スリーブと第２スリーブが内蔵された状態で、前記第１回転レバー部の上端が第１スリーブに対して回転可能であり、前記第１回転レバー部の下端が第２スリーブに対して回転可能であることを特徴とする請求項１１に記載の椅子用の回転機構。
【請求項１３】
前記第１回転関節部の外端の円弧壁には、外向きの突出部が形成され、その突出部にリミット・ストップが設けられており、
前記第１回転レバー部の上端の内壁上部には、前記リミット・ストップに対応する円弧状の溝が形成されていることを特徴とする請求項１１に記載の椅子用の回転機構。
【請求項１４】
更に、リミット調整スナップボタン、取付回転軸及び圧力スプリングを含むリミット調整部を含んでおり、
前記第１回転関節部には取付穴が形成され、
前記取付回転軸の一端は回転可能に前記取付穴に取り付けられ、前記取付回転軸の他端は前記リミット調整スナップボタンの一端の円穴に挿入され、
前記リミット調整スナップボタンの他端には、円弧状の突部が形成されており、
前記第１回転レバーの上端には、内壁面に前記円弧状の突部に対応する波溝が形成されており、
前記圧力スプリングの一端は、前記リミット調整スナップボタンにおける円弧状の突部がある側の一端と連結され、前記圧力スプリングの他端は、固定軸によって前記第１回転関節部と連結されており、
前記リミット調整スナップボタンの取付端には、小ストップが設けられており、前記第１回転レバー部の上端には、内壁面に前記小ストップの駆動用の円弧状の溝が形成されており、その円弧状の溝の端末は前記波溝の開始端であり、
前記リミット調整部は、大部分が前記第１回転関節部の空洞にあることを特徴とする請求項１１に記載の椅子用の回転機構。
【請求項１５】
更に、円弧状のロック板、第２スプリング及び調整スイッチを含むリミット調整部を含んでおり、
前記円弧状のロック板の内端は、取付座を貫通して、駆動可能に前記背合せの下端の内部に延びており、
前記第２スプリングは、前記円弧状のロック板の内端に当接しており、
前記円弧状のロック板の外端は、少なくとも１つのロック歯が形成されており、
前記第１回転関節部には、前記円弧状のロック板が貫通する円弧状のバー穴が形成されており、
前記第１回転レバーの上端には、内壁面に前記ロック歯に対応する波歯が形成されており、
前記調整スイッチは、互いに交差するボタン部と調整レバーを含んでおり、前記調整レバーは、コッターによって回転可能に前記背合せの下部に取り付けられており、
前記調整レバーの端部は、補強鉄棒によって前記円弧状のロック板の内端と連結されていることを特徴とする請求項１１に記載の椅子用の回転機構。
【発明の詳細な説明】
【技術分野】
【０００１】
本発明は、背合せが前後移動可能な椅子及び椅子用の回転機構に関する。
【背景技術】
【０００２】
社会の進歩、人間の生活水準の向上に従って、人々は作業、生活の環境と用品に対して多様化・高度化するニーズがある。椅子を例としてオフィスチェアまたはその他の椅子にとって、日に日に多様な設計が行われている。また、人々の各種のニーズを満たすために、昇降の調整、腰当ての調整、ヘッド枕の調整、背合せ・傾斜角の調整などがある。しかし、従来技術の各々の椅子は、その背合せの全部と椅子の座席とが直接に連結または一体化しており、または支持レバーと椅子の座席とが接続されている。このような椅子は、背合せが椅子の座席に対して調節可能であったり、ただ椅子の座席の角度を調整するのみであったり、人々が座ってまっすぐ仰向けになることには適している。現在、背合せが椅子の座席に対して前後移動可能な椅子はまだない。
【発明の概要】
【発明が解決しようとする課題】
【０００３】
本発明は、前記従来技術の欠点を避けるために背合せが前後移動可能な椅子及び椅子用の回転機構を提供することを目的とする。座る人は自分の需要によって椅子の背合せの前後移動を調整して、背合せを自分の背中により合う状態に維持するようにして快適に感じる。
【課題を解決するための手段】
【０００４】
本発明の課題は以下の技術方案の採用により解決できる。
【０００５】
本発明は、座席と背合せを含む背合せが移動可能な椅子を対象としており、前記背合せの下端と前記座席とは離れており、前記背合せの下端の両辺側と前記座席の後端の両辺側とはそれぞれ回転機構によって連結され、前記回転機構の下端は前記座席に対して回転調整可能であり、前記回転機構の上端は前記背合せに対して回転調整可能であり、前記回転機構の回転調整時には、前記背合せは、該背合せの垂直状態を維持しながら、前記座席に対して前後移動することを特徴とする背合せが移動可能な椅子である。
【０００６】
また、本発明は、上端が椅子の背合せに対して回転調整可能に該背合せの下端の辺側と連結され、下端が椅子の座席に対して回転調整可能に該座席の後端の辺側と連結される椅子用の回転機構を対象としており、前記回転調整時には、前記背合せの垂直状態を維持しながら、前記背合せを前記座席に対して前後移動させるように構成されていることを特徴とする椅子用の回転機構である。
【０００７】
更に、本発明の回転機構は、第１回転レバー部、第２回転レバー部、第１回転関節部及び第２回転関節部を含むものである。前記第１回転レバー部は中空形の略ダンベル形であり、その上下の両端が略円筒形で、中央部が細長い矩形体に形成されている。前記第１回転レバー部の両端にそれぞれ円孔が形成されている。前記第１回転関節部が略円柱形をなし、中央部の径が内外側の端部の径よりも大きい。前記第１回転関節部が前記背合せの下端の辺側の第１取付座と連結固定され、前記第１回転関節部の内端を第１取付座の内に嵌め込まれる。前記第２回転関節部も略円柱形をなし、中央部の径が内外側の端部の径よりも大きい。その第２回転関節部は前記椅子の座席の後端の辺側の第２取付座とねじにより連結固定される。第２回転関節部の内端は前記第２取付座の内に埋め込まれる。前記第１回転関節部の内側に径方向に沿って第１凹入部が形成され、かつ軸方向に沿って第１軸穴が形成されている。前記第２回転レバー部の上端を前記第１凹入部の内側にある、そして第１軸レバーにより前記第１軸穴および第２回転レバー部の上端の円孔に挿入するがかつ第２回転レバー部が第１回転関節部と可回転連結が実現される。前記第２回転関節部の内側を径方向に沿って第２凹入部が開けている、かつ軸向に沿って第２軸穴が開けている、前記第２回転レバー部の下端を前記第２凹入部の内側にある、そして第２軸レバーにより前記第２軸穴および第２回転レバー部の下端の円孔に挿入するが第２回転レバー部や第２回転関節部と可回転連結が実現される。前記第１回転レバー部の上端を前記第１回転関節部の外端に被り込む、前記第１回転レバー部の下端を前記第２回転関節部の外端に被り込む。前記第１回転レバー部の上端に第１中心円穴が開けている、かつ第１回転レバー部の下端に第２中心円穴が開けている。前記第１回転関節部の上端に第１中心穴が開けている、かつ前記第２回転関節部の上端に第２中心穴が開けている。前記回転機構はまた第１スクリュー・レバーや第２スクリュー・レバー含む、その２つのスクリュー・レバーは皆ただ尾段に外部スレッドがあるのみ、残りのレバー段部は無加工のレバー段である。前記第１スクリュー・レバーを順によって前記第１中心円穴と前記第１センター穴を貫通した後で更に前記第１取付座の内に開けるねじ穴に回り込む、前記第２スクリュー・レバーを順によって前記第２中心円穴と前記第２センター穴を貫入した後で更に前記第２取付座の内に開けるねじ穴に回り込む、かつ前記第１回転レバー部の上端に第１スクリュー・レバーを相対回転できる、第１回転レバー部の下端に第２スクリュー・レバーを相対回転できると確保する。第１センター穴と第１軸穴の連結は第２センター穴及び第２軸穴の連結と平行し、第１センター穴と第２センター穴の連結は第１軸穴及び第２軸穴の連結と平行する。
【０００８】
前記第１スクリュー・レバーと第１中心円孔の間と、前記第２スクリュー・レバーやと第２中心円孔の間には、それぞれ第１スリーブと第２スリーブが設置されている。その第１スリーブや第２スリーブの端部にも鋸歯が設置され、かつ鋸歯部分がそれぞれ前記第１センター穴や第２センター穴の内に嵌め込まれる。前記第１スリーブと第２スリーブを内蔵した後で、前記第１回転レバー部の上端に第１スリーブを相対回転できるが、第１回転レバー部の下端に第２スリーブを相対回転できる。
【０００９】
前記第１スリーブと第１中心円穴の間、前記第２スリーブと第２中心円穴の間とも、遮音用のガスケットが設置している。前記第１回転レバー部の上端と前記第１回転関節部の外端の間に第１遮音部が設置している、その第１遮音部の上部に前記第１スクリュー・レバーと第１軸レバーを貫通する使用のスルーホールが開けている。前記第２回転レバー部の上端と第１回転関節部の間、第２回転レバー部の下端と第２回転関節部の間にも、遮音用のガスケットが設置している。
【００１０】
前記回転機構はまたカバーと、前記第１回転レバー部の上端と下端にまた円形端蓋が設置している。前記第１回転レバー部と第２回転レバー部の間にまた第１スプリングが設置している。前記第１回転関節部の外端の円弧壁に外向きの突出部にリミット・ストップがある。前記第１回転レバー部の上端の内壁上部に前記リミット・ストップと対応した円弧状の溝が設置されている。前記第１回転レバー部の下端の内壁上部にアーク凸縁が設置している、前記第２回転関節部の外端に前記アーク凸縁と対応した円弧状のバカンシーを残す。
【００１１】
本発明において、前記回転機構はまたマルチ段位が調整制御される、背合せを椅子の座席の前後移動の方向の上に相対でいくつかの段位が備えさせる、異なっている体型の人々のそれぞれのニーズに適応するためには、詳細設計は次の通り２種類の方式を含む（もちろん、他の方式の設計も採用できるが回転機構のマルチ段位の調整制御を実現するためには、本発明に限りない列挙がない）。一、前記回転機構はリミット調整部を含む、前記リミット調整部にはリミット調整スナップボタン、回転軸取付や圧力スプリングを含む。前記第１回転関節部の上に取付穴が開けている、前記取付回転軸の片端を可回転に前記取付穴に据え付ける、前記回転軸取付の別端を前記リミット調整スナップボタンの片端の円穴に挿入する。前記リミット調整スナップボタンの別端に円弧状の突部が設置している、前記第１回転レバーの上端の内壁に前記円弧状の突部と対応した波溝を設置している、前記圧力スプリングの片側と前記リミット調整スナップボタンに円弧状の突部付きのこの片側と連結される、圧力スプリングの別端は固定軸に依頼して前記第１回転関節部と連結される。前記リミット調整スナップボタンの取付端に、小ストップが設置しているが、前記第１回転レバー部の上端の内壁に前記小ストップの駆動用の円弧状の溝が設置している、その円弧状の溝の端末は前記波溝の開始端である。前記リミット調整部は全体の多数の部分は第１回転関節の空洞にある。二、前記回転機構はまたリミット調整部を含む、そのリミット調整部にはまた円弧状のロック板、第２スプリングや調整スイッチを含む。前記円弧状のロック板の内端から前記第１取付座を貫通している背合せの下端の内部に伸び込む、かつ背合せの下端の内部に駆動する、前記第２スプリングを前記円弧状のロック板の内端に耐えきる。前記円弧状のロック板の外端に少なくとも一つのロック歯が設置している、前記第１回転関節部の上に前記円弧状のロック板を貫通する円弧状のバー穴が開けている、前記第１回転レバーの上端の内壁に前記ロック歯とアダプタの波歯が設置している。前記調整スイッチには互いに交角になっているボタン部や調整レバーを含んでいる、前記調整レバーをコッターにより可回転に背合せの下部に据え付けられている、調整レバーの端部を補強鉄棒により前記円弧状のロック板の内端と連結される。
【００１２】
記載第２設計方式において、前記ロック歯を３個設置するがかつ均一に分布する。前記第１回転関節部は第3スクリュー・レバーにより前記第１取付座と可分解連結される、前記第１回転レバー部の上端に前記第３スクリュー・レバーを貫通する使用のスルーホールが開けている。前記第１回転関節部の内端が蝶型をなしている。前記第１取付座の内側を前記第１回転関節部の内端と対応した形状に設計されている。
【発明の効果】
【００１３】
従来技術と比べて、本発明の背合せが可前後移動の椅子の技術効果は：1. 座る人は自分の需要によって椅子の背合せの前後移動を調整でき、自分の背中により合う状態を維持して快適性を得ることができ、かつ異なった体型の座る者に適切に対応することができる。2. リミット調整部を設けたことによって、背合せの前後移動をマルチ段位で変更できるため、その結果、座る人の異なった座る姿のニーズにより適応することができる。3. 第１回転関節部は第３スクリュー・レバーによって第１取付座と脱着可能に連結されているため、第３スクリュー・レバーを取り外すことで、背合せを座席へ折り返して近寄らせることができ、その結果、運送に便利となる。
【図面の簡単な説明】
【００１４】
【図１−１】図１−１は、本発明の背合せが前後移動可能な椅子の構造概念図であり、図１−２及び図１−３と共に背合せが座席に対して前後移動する過程を示す。
【図１−２】図１−２は、本発明の背合せが前後移動可能な椅子の構造概念図であり、図１−１及び図１−３と共に背合せが座席に対して前後移動する過程を示す。
【図１−３】図１−３は、本発明の背合せが前後移動可能な椅子の構造概念図であり、図１−１及び図１−２と共に背合せが座席に対して前後移動する過程を示す。
【図２】図２は、実施例１の背合せが前後移動可能な椅子の立体分解概念図である。
【図３】図３は、実施例１の背合せが前後移動可能な椅子の組立過程の概念図である。
【図４】図４は、実施例１の背合せが前後移動可能な椅子の後面概念図である。
【図５】図５は、図４のA-A方向の断面概念図である。
【図６】図６は、図４のB-B方向の断面概念図である。
【図７】図７は、図５のC-C方向の断面概念図である。
【図８】図８は、背合せが前後移動可能な椅子の回転機構の回転過程を示す原理概念図である。
【図９−１】図９−１は、実施例１の背合せが前後移動可能な椅子の第１回転関節部の立体概念図である。
【図９−２】図９−２は、実施例１の背合せが前後移動可能な椅子の第１回転関節部の立体概念図である。
【図１０−１】図１０−１は、実施例１の背合せが前後移動可能な椅子の第２回転関節部の立体概念図である。
【図１０−２】図１０−２は、実施例１の背合せが前後移動可能な椅子の第２回転関節部の立体概念図である。
【図１１】図１１は、実施例１の背合せが前後移動可能な椅子の第１回転レバーの立体概念図である。
【図１２−１】図１２−１は、実施例１の背合せが前後移動可能な椅子のリミット調整スナップボタンの立体概念図である。
【図１２−２】図１２−２は、実施例１の背合せが前後移動可能な椅子のリミット調整スナップボタンの立体概念図である。
【図１２−３】図１２−３は、実施例１の背合せが前後移動可能な椅子のリミット調整スナップボタンの立体概念図である。
【図１３】図１３は、実施例１の背合せが前後移動可能な椅子の回転調整過程を示す図である。
【図１４】図１４は、実施例１の背合せが前後移動可能な椅子の回転調整過程を示す図である。
【図１５】図１５は、実施例１の背合せが前後移動可能な椅子の回転調整過程を示す図である。
【図１６】図１６は、実施例１の背合せが前後移動可能な椅子の回転調整過程を示す図である。
【図１７】図１７は、実施例１の背合せが前後移動可能な椅子の回転調整過程を示す図である。
【図１８】図１８は、実施例１の背合せが前後移動可能な椅子の回転調整過程を示す図である。
【図１９】図１９は、実施例１の背合せが前後移動可能な椅子の背合せから座席に締め括る過程を示す図である。
【図２０】図２０は、実施例１の背合せが前後移動可能な椅子の背合せから座席に締め括る過程を示す図である。
【図２１】図２１は、実施例２の背合せが前後移動可能な椅子の立体分解概念図である。
【図２２】図２２は、実施例２の背合せが前後移動可能な椅子のリミット調整部と椅子の背板の間の位置と連結関係を示す。
【図２３】図２３は、実施例２の背合せが前後移動可能な椅子の構造概念図である。
【図２４】図２４は、図２３のD-D方向の断面概念図である。
【図２５】図２５は、実施例２の背合せが前後移動可能な椅子の第１回転レバーの立体概念図である。
【図２６】図２６は、実施例２の背合せが前後移動可能な椅子の第１回転関節部の立体概念図である。
【図２７】図２７は、実施例２の背合せが前後移動可能な椅子の円弧状ロック板の立体概念図である。
【図２８】図２８は、実施例２の背合せが前後移動可能な椅子の調整スイッチの立体概念図である。
【図２９】図２９は、実施例２の背合せが前後移動可能な椅子の回転調整過程を示す図である。
【図３０】図３０は、実施例２の背合せが前後移動可能な椅子の回転調整過程を示す図である。
【図３１】図３１は、実施例２の背合せが前後移動可能な椅子の回転調整過程を示す図である。
【発明を実施するための形態】
【００１５】
以下が図面に示すような実施の最適な実施例により詳しく説明する。
【００１６】
背合せが前後移動可能な椅子、図１に示すように、椅子の座席８００や背合せ６００を含む、前記背合せ６００の下端や椅子の座席背合せ６００の下端の両側や椅子の座席８００と後端の両辺側の間がそれぞれ回転機構１００（または２００）により連結する、前記回転機構１００（または２００）の下端が椅子の座席８００を相対回転調整できる、前記回転機構１００（または２００）の上端が背合せ６００を相対回転調整できる、かつ、前記回転機構１００（または２００）が回転調整の場合には、前記背合せ６００はただ椅子の座席８００を相対前後移動するのみが背合せ６００の垂直状態をずっと維持変更しない。
【００１７】
実施例１：
本発明の背合せが前後移動可能な椅子の実施例１、図２〜図７に示すように、椅子の座席８００と背合せ６００が回転機構１００によって連結されている。回転機構１００は、第１回転レバー１０、第２回転レバー２０、第１回転関節部３０、第２回転関節部４０、カバー５０、及び第１回転レバー１０の上端１１や下端１２に被せられる円形端蓋６０を含む。前記第１回転レバー１０は中空形の略ダンベル形をなし、上下の両端が大きいかつ中間段が小さい、上下の両端１１、１２は円筒形をなすが、中間段は細長い矩形体をなす(図１１を参照)。前記第２回転レバー２０両端にはそれぞれ円穴２１、２２が形成されている。前記第１回転関節部３０は略スタッドタイプをなすが、中間段の径は内外の両段の径よりも大きい(図９を参照)。前記第１回転関節部３０は背合せ６００下端の辺側の第１取付座６０１と連結固定され、第１回転関節部３０の内端３１は前記第１取付座６０１に嵌め込まれる。前記第２回転関節部４０も略スタッドタイプをなすが、中間段の径は内外の両段の径よりも大きい(図１０を参照)。前記第２回転関節部４０や前記背合せ８００後端の辺側の第２取付座８０１がねじ８０２によって連結固定され、第２回転関節部４０の内端に前記第２取付座８０１に嵌め込まれる。前記第１回転関節部３０内に径方向に沿って第１凹入部３２が開け、かつ径方向に沿って第１軸穴３３が開ける。前記第２回転レバー２０の上端が前記第１凹入部３２にあり、かつ第１軸レバー２３によって前記第１軸穴３３や第２回転レバー部２０上端の円穴２１に挿入されると、第２回転レバー２０部や第１回転レバー部１０の回転可能な連結が実現される。前記第２回転関節部４０内に径方向に沿って第２凹入部３２が形成され、かつ径方向に沿って第２軸穴４３が形成されている。前記第２回転レバー２０の下端は前記第２凹入部４２にあり、かつ第２軸レバー２４によって前記第２軸穴４３や第２回転レバー２０下端の円穴２２に挿入されると、第２回転レバー２０や第２回転レバー部４０の回転可能な連結が実現される。前記第１回転レバー部１０の上端１１が前記第１回転関節部３０の外端３９に外嵌し、前記第１回転レバー部１０の下端１２が前記第２回転関節部４０の外端４９に外嵌する。前記第１回転レバー部１０の上端に第１センター穴１８が形成されており、第１回転レバー部１０の下端に第２センター穴１９が形成されている。前記第１回転関節部３０に第１センター穴３８が形成されている。前記第２回転関節部４０に第２センター穴４８が形成されている。前記回転機構部１００は更に第１スクリュー・レバー７０及び第２スクリュー・レバー７１を含む。その両スクリュー・レバー７０、７１ともただエンディアンに外部スレッドがあるが、残りは無加工段である。前記第１スクリュー・レバー７０は順に前記第１中央円穴１８及び前記第１センター穴３８を貫通した後に更に前記第１取付座６０１内に形成されたねじ穴に締め込まれる。前記第２スクリュー・レバー７１は前記第２中央円穴１９や前記第２センター穴４８を貫通した後に更に前記第２取付座８０１内に開けるねじ穴に締め込まれ、かつ前記第１回転レバー１０の上端１１が第１スクリュー・レバー７０(無加工段)に対して回転する。���１回転レバー１０の下端１２が第２スクリュー・レバー７１(無加工段)に対して回転する。同じの平面内で、第１センター穴３８と第１軸穴３３の連結線は第２センター穴４８と第２軸穴４３の連結線と平行し、第１センター穴３８と第２センター穴４８の連結線は第１軸穴３３と第２軸穴４３の連結線と平行する。
【００１８】
本発明の背合せが前後移動可能な椅子は、回転機構１００によって、背合せ６００の垂直状態を維持しながら、背合せ６００が椅子の座席８００に対して前後移動することが実現された。その実現の原理は図８に示すように、平行四辺形の原理によって、平行四辺形の２つの平行辺が四角の交点に対して回転する際、別の２つの平行辺は平行状態が維持される。図８に示すように、前記第１回転レバー部１０及び第２回転レバー部２０は、図中の２つの平行辺abとcdに相当する。第１回転関節部３０における第１センター穴３８(または第１回転レバー部１０の上端の第１中央円穴１８)及び第１軸穴３３が図中のa点とd点に相当する。第２回転関節部４０における第２センター穴４８(または第１回転レバー部１０の下端の第２中央円穴１９)及び第２軸穴４３はb点とc点に相当する。adとbc辺は始めにレベル状態にあって、abとcd両辺が回転する場合には、前記ad辺がbc辺はレベル状態を維持しながら前後移動する。椅子の中に、椅子の背合せ６００の下端の第１取付座６０１は第１回転関節部３０と連結固定される。つまり、背合せ６００が垂直に前記ad辺に固定され（背合せの別の側にまたは回転機構がある）、椅子の座席８００の辺側における第２取付座８０１及び第２回転関節部４０と連結固定される。つまり、椅子の座席８００がbc辺に相当する。従って、回転機構１００が回転した場合には、背合せ６００は垂直状態を維持しながら椅子の座席８００に対して前後移動することができる。本発明は平行四辺形の原理を巧みに利用したものであり、平行四辺形の四角a、b、c、d点は４つの回転中心である。第１回転レバー部１０と第２回転レバー部２０の両者の上端は背合せ６００に対して回転でき、下端は椅子の座席８００に対して回転でき、並行が実現される。第１回転レバー部１０と第２回転レバー部２０により回転駆動は、背合せ６００の前後平行移動の運動に転化される。
【００１９】
全体の機構の構造をよりコンパクトさせるために、例えば図２と図７に示すように、前記第１スクリュー・レバー７０及び第１中央円穴１８の間と、前記第２スクリュー・レバー７１及び第２中央円穴１９の間に、それぞれ第１スリーブ７３及び第２スリーブ７４が設けられている。その第１スリーブ７３と第２スリーブ７４の端部には鋸歯が形成されており、それらの鋸歯部分がそれぞれ前記第１センター穴３８と第２センター穴４８に嵌め込まれている。前記第１スリーブ７３及び第２スリーブ７４が内蔵された状態で、第１スクリュー・レバー７０及び第２スクリュー・レバー７１にそれぞれ第１スリーブ７３及び第２スリーブ７４が圧締められる。前記第１回転レバー部１０の上端１１が第１スリーブ７３に対して回転し、第１回転レバー部１０の下端１２が第２スリーブ７４に対して回転する。回転機構が回転する時に、２つのスリーブ７３、７４の鋸歯部分がそれぞれ２つの回転関節部に嵌め込まれて固定されるので、回転した摩擦力で回転しない。このように、スクリュー・レバーは摩擦で退出するので、長期駆動が避けられて、全体の構造の安全性を更に向上させることができる。
【００２０】
それぞれ回転レバー部、回転関節部、スクリュー・レバー等とも金属材質であるから、直接に接触すると磨損が大きくなり、動作の過程中に騒音も大きくなるため、それらの相互の間にプラスチック・ゴムまたは非金属材質の遮音部またはガスケットなどが設けられる。詳細は図２に示すように、前記第１スリーブ７３及び第１中央円穴１８の間と、前記第２スリーブ７４及び第２中央円穴１９の間には、全て遮音用のガスケット７５が設けられている。前記第１回転レバー部１０の上端１１と第１回転関節部３０の外端３９の間には第１遮音部７７が設けられ、その第１遮音部７７には前記第１スリーブ７０及び第１軸レバー２３が貫通するスルーホールが形成されている。前記第１回転レバー部１０の下端１２と前記第２回転関節部４０の外端４９の間には第２遮音部７６が設けられ、その第２遮音部７６には前記第２スリーブ７１及び第２軸レバー２４が貫通するスルーホールが設けられている。前記第２回転レバー部２０の上端及び第１回転関節部３０の間と、第２回転レバー部２０の下端及び第２回転関節部４０の間には、遮音用平板リング７８が設けられている。
【００２１】
機構が駆動時のプリロードを拡張するために、部品は駆動時に緩んでおらず、特に第１回転レバー部１０と第２回転レバー部２０の間の平行関係を確保する。図６に示すように、前記第１回転レバー部１０と第２回転レバー部２０の間には第１スプリング８０が設けられている。
【００２２】
図６、図９や図１１に示すように、前記第１回転関節部３０の外端３９の円弧壁には外向き突起状のリミット・ストップ３５が設けられている。前記第１回転レバー部１０の上端１１の内壁上部には、前記リミット・ストップ３５と対応する円弧状の溝１５が形成されている。円弧状の溝１５の長さは、リミット・ストップ３５が遮断効果を果たす範囲で確定される。これによって、第１回転レバー部１０の回転駆動が一定の範囲に限られるため、確実に製品の信頼性と正確性を確保できる。
【００２３】
同様、前記のように前記第１回転レバー部１０の下端１２の内壁に円弧状の突縁１６が設けられている。前記第２回転関節部４０の外端には、前記円弧状の突縁１６と対応する円弧状のバカンシー４６が形成されている。第１回転レバー部１０の回転駆動が一定の範囲に限られることで、確実に製品の信頼性と正確性を確保できる。特に極限の位置に回転した時、円弧状の突縁１６が良好な遮断とサポートの作用を果たすと、第１回転レバー部１０は回転が阻止されてただ偏心運転するのみである。
【００２４】
背合せ６００の前後移動をマルチ段位化を実現することによって、座る人の異なった座姿勢のニーズにより良く適応することができる。本発明の背合せが前後移動可能な椅子の中に、図２、図３、図９、図１１〜図１８に示すように、前記回転機構１００がリミット調整部を含んで、前記リミット調整部がリミット調整スナップボタン９０、取付回転軸９１及び圧力スプリング９２を含む。前記第１回転関節部３０に取付穴３７が形成され、前記取付軸９１の一端が回転可能に前記取付穴３７に挿入され、前記取付軸９１の他端が前記リミット調整スナップボタン９０の一端の円穴９０１に挿入される。前記リミット調整スナップボタン９０の他端にはアーク突出部９０２が形成されている。前記第１回転レバー部１０の上端１１の内壁には、前記アーク突出部９０２と対応する波溝１０３が形成されている。前記圧力スプリング９２の一端は、前記リミット調整スナップボタン９０のアーク突出部９０２の小円柱９０３と連結される。圧力スプリング９２の他端は、固定軸３０１によって前記第１回転関節部３０と連結される。前記リミット調整スナップボタン９０の取付端には、小ストップ９０４が設けられている。前記第１回転レバー部１０の上端１１の内壁には、前記小ストップ９０４が駆動するための円弧状の溝１０４が形成されている。その円弧状の溝１０４の端末が前記波溝１０３の始端である。前記リミット調整部の大部分は第１回転関節３０の空洞にある。
【００２５】
次に図１３〜図１８により前記回転機構１００マルチ段位リミット調整原理や過程について簡単に説明する。背合せ６００は最後端にある初期状態として、その時に圧力スプリングの作用を受けると、前記リミット調整スナップボタン９０のアーク突出部９０２が前記波溝１０３の最高端のひとつのトラフ中にある。図中の矢印方向に沿って回転機構１００(つまり背合背６００を前に水平移動)が回転すると、第１回転レバー部１０における波溝１０３のピックはリミット調整スナップボタン９０のアーク突出部９０２をゆっくりと突き出す。図１３〜１５に示すように、前記アーク突出部９０２が波溝１０３のピックを滑べると、圧力スプリングの作用が波溝１０３の次のトラフに及び、次段位の調整と制限が実現される。フォロー段位の調整原理と同様、段位の調整量は波溝１０３の波浪の設計個数によって決められる。背合せ６００を後へ平行移動する場合、図１６〜１８に示すように、まず前へ最後の１段まで引き続き回転調整する。それから、回転機構１００が前へ引き続き回転する(図１６に示すように)ように前記小ストップ９０４が円弧状の溝１０４の開始端が極限状態に至るまで(図１６に示すように)、それから引き続き力を与えながら回転する。その時に、円弧状の溝１０４のスタート端部が小ストップ９０４に作用する。前記リミット調整スナップボタン９０が別の角度に強制回転すると同時に、リミット調整スナップボタン９０が圧力スプリング９２の作用の下でその状態（図１７に示すように）を維持する。このように、前記アーク突出部９０２はすでに完全に波溝１０３の任意の１つのピックに遮断されない。その場合、前記波溝１０３初期のピックが前記小ストップ９０４に触れるところに至るまで、図１８に示した矢印方向に沿って後ろへ回転機構１００が回転する。圧力スプリング９２が図１７に示した状態の時のその方向の圧力に打ち勝つために、圧力スプリング９２の圧力方向を再び変更する。次にアーク突出部９０２が前記波溝の波谷中に落ち込む。以上の動作が繰り返される。
【００２６】
図２と図３に示すように、前記第１回転関節部３０が第３スクリュー・レバー３４及び前記第１取付座６０１と脱着可能に連結される。前記第１回転レバー部１０の上端１１には、前記第３スクリュー・レバー３４が貫通するためのスルーホール１１１が形成されている。このように、組立の時に、前もって前記第３スクリュー・レバー３４と円形端蓋６０が取り外されているときは、第１取付座６０１は第１回転関節部３０に対して回転できる。背合せ６００は回転機構１００に対して回転できる。これによって、背合せ６００は図１９〜図２０に示すように椅子の座席に折り畳んで締め括られる。そうすると、椅子のスペースを縮小して運送が便利となる。図中に示すように、前記第１回転関節部３０の内端３１は蝶型に設計され、前記第１取付座６０１内は前記第１回転関節部３０の内端３１に対応する形状に設計される。このように背合せ６００の回転範囲を制限することによって、背合せ６００が回転オーバによって破壊するのを回避できる。
【００２７】
実施例２：
本発明の背合せが前後移動可能な椅子についての実施例２は、図２１〜２８に示すように、実施例１の構造及び原理と基本的に同様である、異なったところは回転機構２００はマルチ段位リミット制御調整されるものであり、詳細は以下の通りである。
【００２８】
前記回転機構２００はリミット調整部を含む、そのリミット調整部は円弧状のロック板５１、第２スプリング５２と調整スイッチ５３を含む。前記円弧状のロック板５１の内端は、前記第１取付座６０１を貫通して、背合せ６００下端の内部に駆動可能に延びている。前記第２スプリング５２は前記円弧状のロック板５１の内端に当接している。前記円弧状のロック板５１の外端には、均一に配置された３つのロック歯５１１が設けられている。前記第１回転関節部３０には、前記円弧状のロック板５１が貫通する円弧状のバー穴３０２が形成されている。前記第１回転レバー１０の上端１１の内壁には、前記ロック歯５１１と対応する波歯１１５が設けられている。前記調整スイッチ５３は、互いに交差するボタン部５３１及び調整レバー５３２を含む。前記調整レバー５３２は、コッター６０５によって背合せ６００下端の内部に（前記コッターを背合せ６００下端の内部に据え付けるか直接に成型する）回転可能に取り付けられている。調整レバー５３２の端部は、補強鉄棒５３３によって（補強鉄棒５３３は調整レバーと一体に成型できる）前記円弧状のロック板５１の内端と連結されている（詳細は、円弧状のロック板５１内端に微穴が形成され、前記補強鉄棒５３３が微穴内に挿入されて連結されている。詳細なマルチ段位リミット制御の調整の原理及び過程については図２９〜図３１に示すように、その中のある段位にある時、前記円弧状のロック板５１は第２スプリング５２の作用の下で、ロック歯５１１をその段位が対応する波歯の谷内に嵌め込まれ、調整が必要な場合、調整スイッチ５３のボタン部５３１を押すと、前記調整レバー５３２が回転して、第２スプリング５２の弾力作用に打ち勝って前記円弧状のロック板５１を後退させる。前記ロック歯５１１が前記波浪歯１１５から外部へ退出するまで、前記回転機構２００は回転可能である。所定の位置まで調整すると、前記ボタン部５３１が放れ、前記円弧状のロック板５１は第２スプリング５２の作用の下で、円弧状のロック板５１のロック歯５１１が新しい段位と対応する波歯の谷内に再び嵌め込まれる。
【００２９】
本実施例２は前記第３スクリュー・レバー３４や円形端蓋６０をまだ組み立ててない場合には、同様に背合せ６００が椅子の座席８００へ折り畳んで締め括りが実現される。実施例２と異なる部分は、必ず前もって前記円弧状のロック板５１を背合せの下端の内部に全部圧縮した後で図２０に示すような形状に折り畳んでいる。便利に使用の目的地に運送した時に、前記背合せ６００が回転するが、前記円弧状のロック板５１が前記第１回転関節部３０における円弧状のバー穴３０２に挿入されるまで、前記円弧状のロック板５１が第２スプリングの作用の下で自動的に押し出される。
【００３０】
以上の内容は本発明の最適な技術方案を説明したものである。本発明の具体的な実施は以上で説明したものに限られない。本発明が所属の技術分野の一般な技術者にとって本発明の構想の前提を離れない下で、また若干でも簡単に取り替えることができるものも本発明の保護範囲に属する。
【図１−１】
2011206539.tif 000003
【図１−２】
2011206539.tif 000004
【図１−３】
2011206539.tif 000005
【図２】
2011206539.tif 000006
【図３】
2011206539.tif 000007
【図４】
2011206539.tif 000008
【図５】
2011206539.tif 000009
【図６】
2011206539.tif 000010
【図７】
2011206539.tif 000011
【図８】
2011206539.tif 000012
【図９−１】
2011206539.tif 000013
【図９−２】
2011206539.tif 000014
【図１０−１】
2011206539.tif 000015
【図１０−２】
2011206539.tif 000016
【図１１】
2011206539.tif 000017
【図１２−１】
2011206539.tif 000018
【図１２−２】
2011206539.tif 000019
【図１２−３】
2011206539.tif 000020
【図１３】
2011206539.tif 000021
【図１４】
2011206539.tif 000022
【図１５】
2011206539.tif 000023
【図１６】
2011206539.tif 000024
【図１７】
2011206539.tif 000025
【図１８】
2011206539.tif 000026
【図１９】
2011206539.tif 000027
【図２０】
2011206539.tif 000028
【図２１】
2011206539.tif 000029
【図２２】
2011206539.tif 000030
【図２３】
2011206539.tif 000031
【図２４】
2011206539.tif 000032
【図２５】
2011206539.tif 000033
【図２６】
2011206539.tif 000034
【図２７】
2011206539.tif 000035
【図２８】
2011206539.tif 000036
【図２９】
2011206539.tif 000037
【図３０】
2011206539.tif 000038
【図３１】
2011206539.tif 000039